(57)【要約】【課題】従来の太刀魚テンヤの餌の取付け方は、太刀魚針の横軸上に針金でグルグル巻きの姿でイワシが乗っているが、針金を多用すると仕掛けに対して餌の持ちは良くなるが太刀魚は逆に警戒して釣れにくくなる。自然のままのイワシの姿で太刀魚に対応することが求められる。これを簡単な方法で対処可能なように、その商品の製造方法を提供することを目的としている。【解決手段】本発明の太刀魚テンヤの餌の取付け装置はイワシ用刺し針をイワシの口から挿入し脊髄から尻尾まで外部から隠れた状態で貫通させ、太刀魚が食べない頭だけを針金で巻いて固定する。これで太刀魚針の横軸にしっかり固定でき、自然のままの姿で太刀魚に対応できるようになった。また古参の太刀魚の警戒心を取り除く効果があり、さらに誰が実施しても同じイワシの取付け方が出来る特徴がある。【選択図】図１
2016178918.tif 000002
【特許請求の範囲】
【請求項１】
背もたれ式浴槽の断面に似た足側の立ち上りは、真直棒の一端を尖らせた垂直刺し針を設けさらに直角に折り曲げ上記、背もたれ式浴槽の断面に似た底辺を設けさらに上記、背もたれ式浴槽の断面に似た、背もたれを設け、この先端には背もたれ位置のストッパーを取付け接着する事を特徴とする太刀魚テンヤの餌の取付け装置。
【請求項２】
真直棒の一端を尖らせたイワシ用刺し針を設け前記、イワシ用刺し針に平行となるＵ字型に曲げた平行棒を設け、この長さは上記、背もたれ式浴槽の断面に似た、コの字型長辺より若干長い寸法とし前記、平行棒の端をイワシ用刺し針の外向きに曲げ前記、イワシ用刺し針のＵ字型に曲げる直前の直線部分のイワシ用刺し針に刺し針ストッパーを取付け接着し前記、イワシ用刺し針のＵ字型に曲げた直後の直線部分の平行棒に平行棒ストッパーを取付け接着し前記、刺し針ストッパーと前記、平行棒ストッパーの間にできる半円径状の空間に上記、垂直刺し針を通して上記、背もたれ式浴槽の断面に似た上記、背もたれの場所へ移動させ、この背もたれでイワシ用刺し針が上下移動と約１８０度回転移動を可能とし、背もたれ式浴槽の断面に似た底辺を下にした組立型であることを特徴とする請求項１記載の太刀魚テンヤの餌の取付け装置。
【発明の詳細な説明】
【技術分野】
【０００１】  本発明は、船釣りに用いられている太刀魚テンヤの餌の取付け装置に関する。
【背景技術】
【０００２】  従来から用いられている太刀魚テンヤの餌のイワシを取付ける構造は、図６と図７に示すように太刀魚針の針先９を下側に向け太刀魚針の横軸１０をおもり１５に取り付け、太刀魚針の横軸１０の上向きに釘状突起物１４を取り付け、フック１３に針金１２の一端を結びつけた物である。図７は釘状突起物１４に餌のイワシ１１のお腹部分を刺して乗せた後、直ちに太刀魚の食べない頭部分を針金１２で良く留め、さらにお腹や尻尾まで太刀魚針の横軸１０に沿ってグルグル巻き付け、針金１２の一端を太刀魚針の横軸１０に留めてずれ落ちないようにしている。フック１３に釣竿からの幹糸と連結して海中に沈める。【０００３】  海中で太刀魚は立ち泳ぎをしており、上にいる魚を下から襲って食べる習性がある。図７に示すように太刀魚は太刀魚針の横軸１０の上部に乗っているイワシ１１を仕掛けの下側から回り込んで鋭い歯で噛みつき、その時のアタリで釣り人は竿先をシャクリ、太刀魚の頭部に針先９を貫通させ釣り上げている。生きの良い通常のイワシ１１は軟らかいのでこれを仕掛けにしっかり固定するには、針金１２を頭だけでなくお腹から尻尾に至るまで横軸１０に沿ってしっかりと巻き付けないといけない。さらに仕掛けをジギングのような激しい動きで太刀魚を誘うような時は、イワシ１１が針から外れたり、型崩れしないようにしなければならない。また冬場になると太刀魚は深いところに移動するが、乗合船で船を移動するため１３０メートルとか１５０メートルの深さから仕掛けを巻き上げるよう船長の指示が何度も発生する。この距離だと電動リールのハイスピード巻き上げになるので、イワシ１１はかなりの水の抵抗にさらされるので十分固定しておく必要がある。困ったことにイワシ１１がしっかり固定されている程、太刀魚の喰いが悪い、それは太刀魚が自然体のイワシ１１を狙って日頃食べているので、そうで無いのが目の前にいる、この違いを判断しているものと思われる。釣り人が狙っている大きなサイズの古参の太刀魚などは食欲が余りない時など、危険予知能力を最大限に働かせて餌のイワシ１１に喰いつかない場合が多い。これが釣れにくい原因となっている。
【先行技術文献】
【０００４】
【特許文献】
【特許文献】特開２００３−２３０３３０号公報
【発明の概要】
【発明が解決しようとする課題】
【０００５】  従来の太刀魚テンヤの餌の取付け方は、図７に示すように針金１２で太刀魚針の横軸上にぐるぐる巻きの姿でイワシ１１が乗っているが、針金１２を多用すると仕掛けに対して餌の持ちは良くなるが太刀魚は、警戒して釣れにくくなる。太刀魚が食べない場所であるイワシ１１の頭部は、しっかり針金１２で巻くが他の部分は全く巻かない自然のままの姿で太刀魚に対応することが求められる。これを簡単な方法で対処可能なように、その商品の製造方法を提供することを目的としている。
【課題を解決するための手段】
【０００６】  上述の目的を達成するために、図１と図２と図３に示すように  背もたれ式浴槽の断面に似た足側の立ち上りは、真直棒の一端を尖らせた垂直刺し針５を設けさらに直角に折り曲げ上記、背もたれ式浴槽の断面に似た底辺７を設けさらに上記、背もたれ式浴槽の断面に似た、背もたれ６を設け、この先端には背もたれ位置のストッパー８を取付け接着する事を特徴とする太刀魚テンヤの餌の取付け装置。【０００７】  図１と図２と図３に示すように真直棒の一端を尖らせたイワシ用刺し針１を設け前記、イワシ用刺し針１に平行となるＵ字型に曲げた平行棒２を設け、この長さは上記、背もたれ式浴槽の断面に似た、コの字型長辺より若干長い寸法とし前記、平行棒２の端をイワシ用刺し針１の外向きに曲げ前記、イワシ用刺し針１のＵ字型に曲げる直前の直線部分のイワシ用刺し針１に刺し針ストッパー３を取付け接着し前記、イワシ用刺し針１のＵ字型に曲げた直後の直線部分の平行棒２に平行棒ストッパー４を取付け接着し前記、刺し針ストッパー３と前記、平行棒ストッパー４の間にできる半円径状の空間に上記、垂直刺し針５を通して上記、背もたれ式浴槽の断面に似た上記、背もたれ６の場所へ移動させ、この背もたれ６でイワシ用刺し針１が上下移動と約１８０度回転移動を可能とし、背もたれ式浴槽の断面に似た底辺７を下にした組立型であることを特徴とする請求項１記載の太刀魚テンヤの餌の取付け装置。
【発明の効果】
【０００８】  図４は太刀魚針の針先９を下側に向け太刀魚針の横軸１０をおもり１５に取付け、おもり１５に背もたれ式浴槽の断面に似た、背もたれ位置のストッパー８を近づけて、背もたれ式浴槽の断面に似た、底辺７を太刀魚針の針先９を下側に向け上記、太刀魚針の横軸１０の上部に取付け接着する。図５はイワシ１１の腹を下にしてイワシ用刺し針１を口の中へ挿入し、イワシ用刺し針１の刺し針ストッパー３に至るまで目一杯刺し込み、次に垂直刺し針５を上記、イワシ用刺し針１と平行棒２との隙間に下側から差し込み、次にイワシ１１を横軸１０の方向に押さえつける。太刀魚針の横軸１０のおもり１５の近くに付いている針金１２を横軸１０に沿ってイワシ１１の頭部分にだけグルグル巻き付け針金１２の一端を背もたれ式浴槽の断面に似た背もたれ位置のストッパー８の下部に巻き付ける。これで前記イワシ用刺し針１はイワシ１１の脊髄から尻尾まで貫通して隠れた状態で太刀魚針の横軸１０にしっかり固定できるようになった。この事により仕掛けに装着されたイワシ１１は、頭部はしっかり固定してさらにお腹、尻尾部分は自然のままの姿で太刀魚に対応できるようになった。また古参の太刀魚の警戒心を取り除く効果があり誰が実施しても同じイワシ１１の取付け方が出来る特徴がある。
【図面の簡単な説明】
【０００９】
【図１】本発明の太刀魚テンヤの餌の取付け装置の斜視図である。図２と図３の組み立て型である。
【図２】背もたれ式浴槽の断面に似た足側の立ち上がりの垂直刺し針５と底辺７と背もたれ６でこの先端には背もたれ位置のストッパー８を取付けた斜視図である。
【図３】イワシ用刺し針の斜視図である。
【図４】本発明の太刀魚テンヤの餌の取付け装置を太刀魚テンヤに取付けた斜視図である。
【図５】本発明の太刀魚テンヤの餌の取付け装置を太刀魚テンヤに取付けた後にイワシ１１を装着した斜視図である。
【図６】従来の太刀魚テンヤの側面図である。
【図７】従来の太刀魚テンヤにイワシを装着した側面図である。
【発明を実施するための形態】
【００１０】以下、本発明の実施の形態を図に基づいて説明する。
【００１１】図１は図２と図３の組み立て型である。
【００１２】図２の背もたれ位置のストッパー８は外径２ｍｍ程度の真直棒を通すことが出来る内径を有するパイプを短く切断して背もたれ６に通し接着する。
【００１３】図３の刺し針ストッパー３と平行棒ストッパー４は外径２ｍｍ程度の真直棒を通すことが出来る内径を有するパイプを短く切断してイワシ用刺し針１と平行棒２に通し接着する。イワシ用刺し針の先端をイワシ１１の口の中へ挿入し刺し針ストッパー３まで目一杯差し込む。イワシ１１の頭部分は薄い板骨状で更に半身分で押潰すことも可能でイワシ用刺し針１と平行棒２の隙間３ミリから４ミリで通す事ができる。さらに垂直刺し針５で餌のイワシ１１を下から突き刺すので餌は回転しなくなり、太刀魚の横軸１０にしっかり固定できる特徴がある。なお平行棒ストッパー４から平行棒２の末端までの長さはイワシ１１のえら程度が良い。
【００１４】図４は本発明の太刀魚テンヤの餌の取付け装置を従来の太刀魚テンヤの釘状突起物１４を取り外し、底辺７を横軸１０に接着した場合の斜視図である。
【００１５】図５はイワシ１１を頭の部分だけ針金１２を用い太刀魚針の横軸１０に固定する。従来お腹、尻尾部分をグルグル巻いていた針金を無くした特徴がある。
【００１６】図６は従来の太刀魚テンヤの側面図である。
【００１７】図７は従来の太刀魚テンヤにイワシ１１を装着した側面図である。針金１２は頭だけで無くお腹、尻尾までグルグル巻きで太刀魚針の横軸１０で固定している。
【産業上の利用可能性】
【００１８】  本発明は多くの人々が仕事上で発生するストレスの発散、解消に利用しているが、船の太刀魚釣りのレジャー産業の分野で利用することができる。
【符号の説明】
【００１９】  １  イワシ用刺し針
２  平行棒
３  刺し針ストッパー
４  平行棒ストッパー
５  垂直刺し針
６  背もたれ
７  底辺
８  背もたれ位置のストッパー
９  針先
１０  太刀魚針の横軸
１１  イワシ
１２  針金
１３  フック
１４  釘状突起物
１５  おもり
【図１】
2016178918.tif 000003
【図２】
2016178918.tif 000004
【図３】
2016178918.tif 000005
【図４】
2016178918.tif 000006
【図５】
2016178918.tif 000007
【図６】
2016178918.tif 000008
【図７】
2016178918.tif 000009